(57)【要約】【課題】カメラの昇位支持を提供するスタンドであり、スタンドとして利用されていないときは、カメラの保護とその操作とが可能なスタンドを提供する。【解決手段】本発明のスタンドは、ねじ式の受口を有するカメラ用のスタンドであり、基部と、基部にヒンジ接続された少なくとも二つの翼部と、カメラを基部に取付けるように構成されている取付ペグと、を備える。【選択図】図１
2010140032.tif 000002
【特許請求の範囲】
【請求項１】
カメラ本体とカメラスタンド受口とを有するタイプのカメラ用のスタンドであって、
基部と、
前記基部にヒンジ接続された少なくとも二つのフレーム型の翼部と、
前記カメラ本体を前記基部に取付けるように構成されている取付ペグと、
を備えるスタンド。
【請求項２】
様々な寸法を有するカメラが前記スタンドに取付け可能である、請求項１に記載のスタンド。
【請求項３】
前記翼部は、前記カメラ基部に対して摩擦ばめにより調整可能なよう構成されており、取付ペグを締め付けることにより、前記カメラ本体が前記翼部に対して押圧して前記翼部を所望の位置に固定する、請求項１に記載のスタンド。
【請求項４】
前記翼部は、衝撃を吸収する材料を含む、請求項１に記載のスタンド。
【請求項５】
前記翼部が、前記カメラを保護するために前記カメラ本体の周囲の位置まで回転できる、請求項１に記載のスタンド。
【請求項６】
前記翼部が前記カメラ本体の周囲にある間、前記カメラの操作ができるように前記翼部のそれぞれが窓部を形成する、請求項５に記載のスタンド。
【請求項７】
前記翼部が、前記カメラの昇位支持を提供するように少なくとも一つの位置まで回転することができる、請求項１に記載のスタンド。
【請求項８】
前記取付ペグが、刻み付の係止ノブをさらに備える、請求項１に記載のスタンド。
【請求項９】
前記基部が、スタンドに対する前記カメラの位置を調整できるように前記取付ペグが通るスロットをさらに備える、請求項１に記載のスタンド。
【請求項１０】
前記翼部が、前記スタンドを滑りから防ぐように構成されている足部をさらに備える、請求項１に記載のスタンド。
【請求項１１】
カメラ本体とカメラスタンド受口とを有するタイプのカメラ用のスタンドであって、
基部と、
前記基部にヒンジ接続された少なくとも二つの翼部であって、カメラを保護するために前記カメラ本体の周囲の位置まで回転できる翼部と、
前記カメラ本体を前記基部に取付けるように構成されている取付ペグと、
を備えるスタンド。
【請求項１２】
様々な寸法を有するカメラが前記スタンドに取付け可能である、請求項１１に記載のスタンド。
【請求項１３】
前記翼部は、前記カメラ基部に対して摩擦ばめにより調整可能なよう構成されており、取付ペグを締め付けることにより、前記カメラ本体が前記翼部に対して押圧して前記翼部を所望の位置に固定する、請求項１１に記載のスタンド。
【請求項１４】
前記翼部は、衝撃を吸収する材料を含む、請求項１１に記載のスタンド。
【請求項１５】
前記翼部が前記カメラ本体の周囲にある間、前記カメラの操作ができるように前記翼部のそれぞれが窓部を形成する、請求項１１に記載のスタンド。
【請求項１６】
前記翼部が、前記カメラの昇位支持を提供するように少なくとも一つの位置まで回転することができる、請求項１１に記載のスタンド。
【請求項１７】
前記取付ペグが、刻み付の係止ノブをさらに備える、請求項１１に記載のスタンド。
【請求項１８】
前記基部が、スタンドに対する前記カメラの位置を調整できるように前記取付ペグが通るスロットをさらに備える、請求項１１に記載のスタンド。
【請求項１９】
前記翼部が、前記スタンドを滑りから防ぐように構成されている足部をさらに備える、請求項１１に記載のスタンド。
【発明の詳細な説明】
【技術分野】
【０００１】
本発明はカメラ用スタンドに関する。さらに詳細には、保護用のカメラカバーに変形可能なカメラ用スタンドに関する。
【背景技術】
【０００２】
現在、数多くの様々なタイプのスタンドが、カメラ、例えばデジタルやアナログのスチールカメラ及びビデオカメラを支持するために利用されている。
【発明の概要】
【発明が解決しようとする課題】
【０００３】
これらのスタンドの多くは、やや大きくて扱いにくく、運ぶのに便利ではない。さらに、使用者がスタンドを使用するとき、まずスタンドをカメラに取付ける必要があり、それに時間がかかる。さらに、スタンドは、使用者が運ばなければならない装備に余計な重量とかさを追加するが、使用者はスタンドが役立つときを常に予想できるわけではない。
【課題を解決するための手段】
【０００４】
本発明の実施形態において、カメラ本体とカメラスタンド受口とを有するカメラ用のスタンドが提供される。スタンドは、基部と、基部にヒンジ接続された少なくとも二つの翼部と、カメラ本体を基部に取付けるよう構成された取付ペグと、を備える。
【０００５】
スタンドは、スタンドに取付けられる様々な寸法のカメラを保持し得る。さらに、複数の翼部はカメラ基部に対して摩擦ばめにより調整可能であり、取付ペグの締め付けが、カメラ本体の翼部に対する押圧の原因となり、翼部を所望の位置に固定するようになる。複数の翼部は衝撃を吸収する材料を含んでもよい。
【０００６】
カメラを保護するために、複数の翼部はカメラ本体の周囲の位置まで回転し得る。翼部は窓部を有することができ、それによって、翼部がカメラ本体の周囲にあるときでも、カメラを操作することができる。翼部はカメラの昇位支持を提供するように少なくとも一つの位置まで回転してもよい。
【０００７】
取付ペグは、刻み付の係止ノブを有する場合がある。さらに、基部は取付ペグが通るスロットを備えることができ、それによって、スタンドに対するカメラの位置を調整し得る。さらに、翼部は、スタンドを滑りから防ぐように構成されている足部を備えてもよい。
【図面の簡単な説明】
【０００８】
【図１】カメラが取付けられた、本発明の実施形態によるカメラ用スタンドを示す斜視図である。
【図２】他の位置の状態である、図１のカメラ用スタンドを示す斜視図である。
【図３Ａ】カメラが取付けられていない、図１のカメラ用スタンドを示す端面図である。
【図３Ｂ】カメラが取付けられた、図１のカメラ用スタンドを示す端面図である。
【図４】カメラが取付けられていない、図１のカメラ用スタンドを示す下面図である。
【図５】カメラが取付けられていない、図１のカメラ用スタンドを示す上面図である。
【図６】カメラが取付けられていない、図１のカメラ用スタンドを示す側面図である。
【図７Ａ】カメラが取付けられた、図１のカメラ用スタンドを示す端面図である。
【図７Ｂ】別のカメラが取付けられた、図１のカメラ用スタンドを示す端面図である。
【図８】本発明の他の実施形態によるカメラ用スタンドを示す上面図である。
【発明を実施するための形態】
【０００９】
以下の詳細な説明において、本発明による典型的な実施形態のいくつかを図を用いて説明する。当業者であれば判るように、説明する典型的な実施形態は、本発明の精神又は範囲から逸脱することなく全てにおいて、様々な方法により変更されてよい。従って、図及び説明は制限するものではなく、むしろ本質的には説明するためのものであるとみなすべきである。
【００１０】
本発明によるカメラ用スタンドは、支持位置の状態でカメラの支持とその調整可能な高さとを提供し、保護位置の状態でスタンドとして利用されていないときに、カメラの保護とその継続的な操作とを提供する。
【００１１】
図１、図４、図５及び図６は、本発明の実施形態による、カメラ本体１０を有するカメラ用のスタンド２０であって、支持位置の状態であるスタンド２０の斜視図を示す。図１では、スタンド２０がカメラ本体１０の支持及び高さを提供するように、スタンド２０が位置決めされている。スタンド２０は基部６０と基部に付随する第一翼部２２及び第二翼部２４とを備えており、各翼部は基部にヒンジ接続されている。図示された実施形態によれば、基部６０は概ね長方形に形成されおり、翼部２２、２４は、基部６０の互いに反対側にある端部に配置されている。基部６０の幅は、標準的なコンパクトカメラの本体、例えば簡単操作のカメラで使用されるカメラ本体の幅とほぼ同じ寸法であり、基部６０の奥行きは、標準的なカメラ本体の厚さよりも少し大きい。翼部２２、２４の幅は標準的なカメラ本体の幅よりも少し長く、翼部２２、２４の高さは標準的なカメラ本体の高さよりも少し高い。本発明の一つの実施形態では、基部６０は約２．５４から３．８１センチメートル（１から１．５インチ）の幅を有しており、翼部２２、２４は約１０．１６から１２．７センチメートル（４から５インチ）の長さと、約７．６２から１０．１６センチメートル（３から４インチ）の高さとを有している。
【００１２】
本発明の他の実施形態において、スタンドの大きさは他のタイプのカメラ、例えばビデオカメラで動作するように適宜変更されてよい。例えば、基部が約２．５４センチメートル（１インチ）の幅を有し、翼部が約５．０８センチメートル（２インチ）の長さと、１０．１６センチメートル（４インチ）の高さとを有するようにしてよい。さらに、本発明の他の実施形態において、スタンドの大きさを様々な形状及び寸法を有する他のタイプのカメラに適合するように拡大又は縮小してよい。
【００１３】
本実施形態によれば、第一翼部２２及び第二翼部２４は、概ね長方形のフレーム型に形成されている。第一翼部２２は三つの第一翼部ナックル２６を有し、第二翼部２４は三つの第二翼部ナックル２８を有する。各翼部ナックルは、基部６０の端部において、一対の対応する第一基部ナックル３０及び第二基部ナックル３２にそれぞれ結合している。翼部ナックル２６、２８及び基部ナックル３０、３２のそれぞれは概ね空洞の円筒形に形成されている。そして、結合する翼部ナックル２６、２８及び基部ナックル３０、３２を通して、一対のヒンジピンがそれぞれ挿入されており、ドアのヒンジと同様に、基部６０と各翼部２２、２４との間のピボット式結合部を形成している。当業者であれば、より多くの又はより少ないナックルを、翼部と基部との間の結合部を形成するのに使用できることを理解するであろう。さらに、多くの他の様々なヒンジ構成のうち何れか一つが、翼部２２、２４と基部６０との間のピボット式結合部を形成するように構成されてもよい。
【００１４】
図２は、図１のスタンド２０であって、コンパクトに保管され、衝突又は落下したときにカメラ本体１０の保護を提供するように保護位置に位置決めされたスタンド２０の斜視図を示している。翼部２２、２４は衝撃を吸収可能なやや柔軟性を有する材料、例えばプラスチック又はゴムから形成されてよい。基部６０は、翼部２２、２４と同じ材料から形成されるか、又は異なる材料から形成されてよい。異なる材料は、衝撃を吸収可能なやや柔軟性を有する材料であるか、又はそうでない材料であってもよい。さらに、基部６０及び翼部２２、２４は、剛性を有する材料、例えば金属から形成されてもよく、衝撃を吸収する材料、例えばゴムにより被覆されても構わない。翼部２２、２４及び基部６０は、カメラと同じ色により着色され、それにより、スタンドが目立たなくしてもよい。また、それらは他の所望の色や色のパターン、例えばカモフラージュにより着色されてもよい。さらに、翼部２２、２４及び基部６０は透明であっても構わない。
【００１５】
多くのカメラは、三脚や他のカメラスタンドを受け入れるために、規格寸法のカメラスタンド受口を利用することが可能である。例えばねじ式の受口がカメラ本体によく設けられている。図３Ａ及び図３Ｂに示すように、カメラ本体１０は取付ペグ３４によりカメラスタンド２０に取付けられている。取付ペグ３４は、これらのカメラと互換性のある支柱３６、例えばねじ式の支柱を有する。取付ペグ３４は係止ノブ３８をさらに有する。係止ノブ３８は刻み付であってよい。本発明の一つの実施形態において、支柱３６がねじ式の支柱である場合、使用者は取付ペグ３４を緩めるか締め付けるように係止ノブ３８を回すことで、カメラ本体１０を取付けてスタンド２０を操作する。
【００１６】
図４及び図５に示すように、スロット６２は基部６０に位置しており、スロット６２の長さ部分は基部６０の長さ部分の一部に沿って延びている。取付ペグ３４の支柱３６は、スロット６２を通り、カメラ本体１０の規格寸法のカメラスタンド受口内に延びている。係止ノブ３８は、取付ペグ３４がスロット６２を完全に通過することを防ぎ、カメラ本体１０がスタンド２０に確実に固定されることを維持している。スロット６２は、基部６０に対するカメラ本体１０の位置を調整することを可能にする。例えば、カメラ本体１０の重量をより中心側にするか、又はカメラで撮影する写真のフレームを調節するために、取付ペグ３４を締め付ける前に、使用者は取付ペグ３４をスロット６２の長さ部分に沿って動かして基部６０に対してカメラ本体１０を摺動させてよい。さらに、スロット６２は、スタンド２０が様々な異なるカメラに使用されることを可能にする。
【００１７】
本発明の一つの実施形態において、支柱３６は、係止ノブ３８から離れた位置にねじ山が形成された部分と、係止ノブ３８に近い位置にねじ山が形成されていない部分とを有する。本実施形態において、一旦支柱３６がスロット６２を通り、カメラ本体１０のカメラスタンド受口内にねじ止めされると、ねじ山が形成されていない支柱３６の部分は、スロット６２内に位置する部分になる。この実施形態では、スロット６２内にある支柱３６の部分にねじ山が形成されていないので、カメラの位置を調整するために、取付ペグ３４をスロット６２の長さ部分に沿ってさらに容易に動かすことができる。
【００１８】
本発明の他の実施形態において、スロット６２は、スロット６２の一方の端部に拡大された部分を有してよい。例えば拡大された部分は円形を有し、拡大された部分にねじ山が形成されてもよい。また、ねじ山がねじ式の支柱３６の挿入によって形成されても構わない。拡大された部分は、拡大された部分を支柱３６が通って挿入されるように寸法決めされてもよい。この場合、一旦、支柱３６のねじ山部分がスロット６２の拡大された部分を通って挿入されると、ねじ山が形成されていない支柱３６の部分は容易にスロット６２の長さに沿って容易に摺動することができ、支柱３６のねじ山部分が取付ペグ３４のスロット６２から外への滑りを防止する。
【００１９】
本発明の他の実施形態において、支柱３６はスロット６２を通り圧入されてもよい。
【００２０】
図３Ｂに示すように、取付ペグ３４を締め付けることにより、カメラ本体１０が第一翼部ナックル２６及び第二翼部ナックル２８を押圧するようになる。カメラ本体１０が第一翼部ナックル２６及び第二翼部ナックル２８を押圧するので、翼部２２、２４は基部６０に対して回転することから防止される。この実施形態では、カメラ本体１０と第一翼部ナックル２６及び第二翼部ナックル２８との摩擦が、翼部２２、２４を適切な位置に固定して翼部２２、２４の回転を防止する。従って、使用者は翼部２２、２４を所望の位置に位置決めして、次いで基部６０に対して翼部２２、２４の位置を固定するように取付ペグ３４を締め付けることができる。翼部２２、２４の位置を変更するために、使用者は取付ペグ３４を緩め、翼部２２、２４を新しい所望の位置に動かし、次いで再び取付ペグ３４を締め付けてもよい。
【００２１】
例えば、使用者は図１に示すように翼部２２、２４を位置決めし、平面上にカメラを昇位して支持（ｅｌｅｖａｔｅ  ａｎｄ  ｓｕｐｐｏｒｔ）し、それにより、微速度撮影又はビデオ撮影のために、ハンドフリーの手段、例えばタイマーを用いてカメラ本体１０を利用することができるようになる。使用者は取付ペグ３４を緩め、スタンド２０が下がるように翼部２２、２４を離すか、又はスタンド２０が上がるように寄せ、次いで取付ペグ３４を締め付けることで、スタンド２０の高さを調整することができる。
【００２２】
その後、使用者は、予期しない衝突からカメラ本体１０を保護してコンパクトにスタンド２０を収容するために、図２に示すように翼部２２、２４の位置を変更することを選択してよい。この実施形態では、使用者は取付ペグ３４を緩めて翼部２２、２４を回転させ、それにより、翼部２２、２４がカメラ本体１０に隣接するようになる。次いでカメラ本体１０に対する翼部２２、２４の新しい位置を固定するために、取付ペグ３４を締め付ける。さらに、使用者は、翼部２２、２４の内側においてカメラ全体又はカメラの大部分のうち何れか一方をより適切に位置決めするために、取付ペグ３４をスロットに沿って摺動させてもよい。
【００２３】
図１、図２及び図３Ｂに示すように、フレーム型の第一翼部２２は第一足部４０を有し、フレーム型の第二翼部２４は第二足部４２を有する。第一足部４０及び第二足部４２は、翼部２２、２４と同様の材料から形成されてよい。あるいは、第一足部４０及び第二足部４２は翼部２２、２４とは異なる材料から形成されてもよい。若しくは、第一足部４０及び第二足部４２は、例えばゴム又はプラスチックからなる材料により被覆されてもよく、これにより、使用中にスタンド２０が滑る可能性が減少するようになる。さらに、スタンド２０が滑る可能性を減少させるために、第一足部４０及び第二足部４２がさらにざらつきのある表面、例えば小塊又は浮彫の細片を有してもかまわない。
【００２４】
本発明の他の実施形態において、第一翼部ナックル２６及び第二翼部ナックル２８は、取付ペグ３４が締め付けられるときにカメラ本体１０が押圧するため、弾性の材料、例えばゴム、プラスチック又は発泡材により被覆されてよい。この実施形態では、弾性の材料は、カメラ本体１０と第一翼部ナックル２６及び第二翼部ナックル２８との間の摩擦を増加させ、取付ペグ３４を締め付けたとき、翼部２２、２４の位置をより適切に固定する。
【００２５】
図１、図２及び図６に示すように、翼部２２、２４が保護位置の状態でありカメラ本体１０の周囲に位置決めされている間、フレーム型の第一翼部２２の第一窓部４４とフレーム型の第二翼部２４の第二窓部４６とは、一般的なカメラの操作を可能にしている。この実施形態では、カメラのレンズは、窓部の一つ、例えば第一窓部４４を通して延びることができ、又は窓部を通して受光することもできる。さらに、カメラのフラッシュがこの窓部を通して発光することができる。さらに、使用者は、窓部の一つ、例えば第二窓部４６を通して、ビューファインダからのぞき込むか、又はディスプレイスクリーンを介して見ることもできる。さらに、使用者は、カメラの上部又は側部に位置された、カメラのあらゆるコントロール、例えばカメラの上部に一般に位置されたシャッターボタンを操作することができる。
【００２６】
図７Ａ及び図７Ｂに示すように、本発明の一実施形態において、様々な寸法のカメラを、スタンド２０と共に利用することができる。例えば、図７Ａに示すように、より大型のカメラ本体１１０がスタンド２０に取付けられてよい。この実施形態では、取付ペグ３４は、より小型のカメラ本体を取付けるのと同程度に締め付けられていない。さらに、カメラ本体１１０の端部は、より小型のカメラが干渉する位置とは異なる、翼部２２、２４上の位置に干渉する。しかしながら、カメラ本体１１０の位置は取付ペグ３４を緩める（又は締め付ける）ことにより調整できるので、スタンド２０は、支持位置及び保護位置の両方の状態において、より大型のカメラ本体１１０に対して動作することができる。
【００２７】
図７Ｂに示すように、より小型のカメラ本体１２０をスタンド２０と共に利用することができる。この実施形態では、取付ペグ３４は、図７Ａに示すより大型のカメラ本体１１０が取付けられた場合より、さらに締め付けられている。しかしながら、カメラ本体１２０の位置は取付ペグ３４を締め付ける（又は緩める）ことにより調整できるので、スタンド２０は、支持位置及び保護位置の両方の状態において、より小型のカメラ本体１２０に対して動作することができる。
【００２８】
図８に示すように、本発明の別の実施形態では、スタンド１２０は、スロット１６１及び基部ナックル１３０、１３２を有する基部１６０と、第一翼部ナックル１２６を有する第一翼部１２２と、第二翼部ナックル１２８を有する第二翼部１２４とを備え、上述したように、各翼部１２２、１２４は基部１６０にヒンジ接続されている。翼部１２２、１２４は、足部１４０、１４２を各々有しており、窓部１４４、１４６を各々有している。この実施形態において、基部１６０は、カメラを運ぶためのカメラストラップを受けるのに適した少なくとも一つのカメラストラップスロット２００をさらに有する。この実施形態において、使用者は、カメラストラップをカメラストラップスロット２００を通して挿入してよく、使用者はカメラストラップを用いて、スタンド１２０に取付けられたカメラを伴わずに又は伴って、スタンド１２０を運ぶことができる。
【００２９】
本発明は、典型的な実施形態であると考えられているものに関連して記載されていると同時に、本発明は、開示された実施形態、特性及び構成に限定されず、それどころかさらに様々な変更及び同様の装置まで及ぶと理解されるべきである。
【符号の説明】
【００３０】
１０、１１０    カメラ本体
２０、１２０    スタンド
２２、１２２    第一翼部
２４、１２４    第二翼部
２６、１２６    第一翼部ナックル
２８、１２８    第二翼部ナックル
３０、１３０    第一基部ナックル
３２、１３２    第二基部ナックル
３４    取付ペグ
３６    支柱
３８    係止ノブ
６０、１６０    基部
６２、１６１    スロット
【図１】
2010140032.tif 000003
【図２】
2010140032.tif 000004
【図３Ａ】
2010140032.tif 000005
【図３Ｂ】
2010140032.tif 000006
【図４】
2010140032.tif 000007
【図５】
2010140032.tif 000008
【図６】
2010140032.tif 000009
【図７Ａ】
2010140032.tif 000010
【図７Ｂ】
2010140032.tif 000011
【図８】
2010140032.tif 000012
【外国語明細書】
2010140032000001.pdf